【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
複数の端末機器が接続された火災受信機に接続されて、該火災受信機を介して送られてくる各端末機器の状態情報に基づいて、表示部に表示されている建物内のフロアの平面図上に配置された前記状態情報に対応する端末機器のシンボルの表示を変化させる火災表示装置において、
前記表示部に設けたメニューバー表示エリアにデータ編集モードスイッチを表示し、該データ編集モードスイッチに対応して設定された建物のフロア毎の平面図画像の情報とこれら平面図画像の一覧情報をデータとして有し、該データ編集モードスイッチの操作に応じて、前記平面図画像の一覧情報を前記表示部に表示し、該平面図画像の一覧情報の中の一つが指定されると、該当する平面図画像を前記表示部に表示し、編集ツールを用いて編集可能とし、かつ編集された平面図画像のデータを記憶部に記憶可能とするデータ編集制御手段を備えることを特徴とする火災表示装置。
【請求項２】
前記表示部に表示される平面図画像には、データ編集専用シートが重ね合わせられ、前記編集ツールを用いて該データ編集専用シート上に描画可能で、編集されたデータ編集専用シートはこれを重ね合わせていた前記平面図画像データと関連付けられて前記記憶部に記憶されることを特徴とする請求項１記載の火災表示装置。
【請求項３】
データ編集制御手段は、通常モードの状態で前記フロア毎の平面図画像の一覧情報の中からの指定操作に応じて該当する平面図画像を前記表示部に表示する際に、前記記憶部に予め記憶されている建物のフロア毎の平面図画像データの中から前記指定されたフロアの平面図画像データを読み出して前記表示部上に表示し、次にこの読み出された平面図画像データと関連付けられたデータ編集専用シートを前記記憶部から読み出して、重ね合わせて表示することを特徴とする請求項２記載の火災表示装置。
【請求項４】
前記平面図画像データに重ね合わせられるデータ編集専用シートで編集可能なデータは、間仕切り線および部屋名称であることを特徴とする請求項１乃至請求項３のいずれかに記載の火災表示装置。
【請求項５】
前記表示部に設けたメニューバー表示エリアにデータリストスイッチを表示し、該データリストスイッチに対応して設定された各端末機器に関する設定情報の一覧情報をデータとして有し、該データリストスイッチの操作に応じて、前記各端末機器に関する設定情報の一覧情報を前記表示部に表示するデータリスト表示制御手段を備えることを特徴とする請求項１乃至請求項４のいずれかに記載の火災表示装置。
【請求項６】
前記各端末機器に関する設定情報は、各端末機器のアドレス、種別、棟階区番、オプションメッセージ、前記平面図の画像データナンバー等の情報であることを特徴とする請求項５記載の火災表示装置。
【請求項７】
前記データリスト表示制御手段は、前記各端末機器の設定情報の中から一つが指定されたときに、該当する端末機器を確認可能な検索機能を有することを特徴とする請求項６記載の火災表示装置。
【手続補正２】
【補正対象書類名】明細書
【補正対象項目名】０００７
【補正方法】変更
【補正の内容】
【０００７】
（１）本発明に係る火災表示装置は、下記の構成からなるものである。すなわち、複数の端末機器が接続された火災受信機に接続されて、この火災受信機を介して送られてくる各端末機器の状態情報に基づいて、表示部に表示されている建物内のフロアの平面図上に配置された状態情報に対応する端末機器のシンボルの表示を変化させる火災表示装置において、表示部に設けたメニューバー表示エリアにデータ編集モードスイッチを表示し、このデータ編集モードスイッチに対応して設定された建物のフロア毎の平面図画像の情報とこれら平面図画像の一覧情報をデータとして有し、データ編集モードスイッチの操作に応じて、平面図画像の一覧情報を表示部に表示し、平面図画像の一覧情報の中の一つが指定されると、該当する平面図画像を前記表示部に表示し、編集ツールを用いて編集可能とし、かつ編集された平面図画像のデータを記憶部に記憶可能とするデータ編集制御手段を備えるものである。
（２）本発明に係る火災表示装置は、前記（１）において、表示部に表示される平面図画像には、データ編集専用シートが重ね合わせられ、編集ツールを用いてデータ編集専用シート上に描画可能で、編集されたデータ編集専用シートはこれを重ね合わせていた前記平面図画像データと関連付けられて記憶部に記憶されるものである。
（３）本発明に係る火災表示装置は、前記（２）において、データ編集制御手段は、通常モードの状態でフロア毎の平面図画像の一覧情報の中からの指定操作に応じて該当する平面図画像を表示部に表示する際に、記憶部に予め記憶されている建物のフロア毎の平面図画像データの中から前記指定されたフロアの平面図画像データを読み出して表示部に表示し、次にこの読み出された平面図画像データと関連付けられたデータ編集専用シートを前記記憶部から読み出して、重ね合わせて表示するものである。
（４）本発明に係る火災表示装置は、前記（１）〜（３）において、平面図画像データに重ね合わせられるデータ編集専用シートで編集可能なデータは、間仕切り線および部屋名称であることを特徴とするものである。
（５）本発明に係る火災表示装置は、前記（１）〜（３）において、表示部に設けたメニューバー表示エリアにデータリストスイッチを表示し、このデータリストスイッチに対応して設定された各端末機器に関する設定情報の一覧情報をデータとして有し、データリストスイッチの操作に応じて、各端末機器に関する設定情報の一覧情報を表示部に表示するデータリスト表示制御手段を備えるものである。
（６）本発明に係る火災表示装置は、前記（５）において、各端末機器に関する設定情報は、各端末機器のアドレス、種別、棟階区番、オプションメッセージ、平面図の画像データナンバー等の情報からなるものである。
（７）本発明に係る火災表示装置は、前記（６）において、データリスト表示制御手段は、設定情報の中から一つが指定されたときに、該当する端末機器を確認可能な検索機能を有するものである。
【手続補正３】
【補正対象書類名】明細書
【補正対象項目名】０００８
【補正方法】変更
【補正の内容】
【０００８】
（１）本発明においては、表示部に設けたメニューバー表示エリアに表示されたデータ編集モードスイッチが操作されたとき、このデータ編集モードスイッチに対応して設定された平面図画像の一覧情報を表示部に表示し、平面図画像の一覧情報の中の一つが指定されると、該当する平面図画像を前記表示部に表示し、編集ツールを用いて編集可能とし、かつ編集された平面図画像のデータを記憶部に記憶できるようにしているので、テナント等の変更があった場合、データ編集制御手段により、現場にて平面図画像を編集することができる。このため従来のように、外部のデータ作成装置を使用する必要がなくなり、平面図画像の編集に費やす時間と費用を圧縮することが可能となり、ランニングコストを低減することができる。
（２）本発明においては、表示部に表示される平面図画像には、データ編集専用シートが重ね合わせられ、編集ツールを用いてデータ編集専用シート上に描画可能で、編集されたデータ編集専用シートはこれを重ね合わせていた前記平面図画像データと関連付けられて記憶部に記憶されるので、記憶部に元々記憶されている平面図画像データを変更しなくてもよいデータ編集方式、つまり元々入っているデータベースに影響を与えることなく新規データを追加できるデータ編集方式が可能となり、表示部に表示される平面図を変えることができる。このため、データ編集機能を持ちながら従来と同様に安全性を確保することができる。
（３）本発明においては、通常モードの状態で指定操作に応じて該当する平面図画像を表示部に表示する際に、記憶部に予め記憶されている建物のフロア毎の平面図画像データの中から前記指定されたフロアの平面図画像データを読み出して表示部に表示し、次にこの読み出された平面図画像データと関連付けられたデータ編集専用シートを記憶部から読み出して、重ね合わせて表示するので、編集した痕跡を残さずに、あたかも元々の画像であるかのように、編集した平面図画像を表示することができる。
（４）本発明においては、平面図画像データに重ね合わせられるデータ編集専用シートで編集可能なデータを、間仕切り線および部屋名称に限定して、それ以外（例えば各端末機器の設置位置など）は変更できないようにしているので、図形編集機能を有するにも拘わらず、安全性の確保が容易となる。
（５）本発明においては、表示部に設けたメニューバー表示エリアに表示されたデータリストスイッチが操作されたとき、このデータリストスイッチに対応して設定された各端末機器に関する設定情報の一覧情報を表示部に表示するようにしているので、現場にて各端末機器に関する設定情報を確認することができる。
（６）本発明においては、各端末機器に関する設定情報を、各端末機器のアドレス、種別、棟階区番、オプションメッセージ、平面図の画像データナンバー等とすることにより、これらの情報を現場にて容易に確認することができる。
（７）本発明においては、設定情報の中から一つを指定することで、該当する端末機器を検索して確認することができるので、検索のために端末機器を実動作させる必要がなく、該当する端末機器を見つける作業が容易となる。
なお、データリストの中の一つの端末機器が選択操作されたときに、該当する端末機器の配置された平面図が表示されるようにして、設置位置の確認を行えるようにしてもよい。